(57)【特許請求の範囲】
【請求項１】
送風ユニットを有する暖房または空調装置であって、ハウジング（２）に取り付けられた電動機支持部材（１）を備え、
電動機支持部材（１）とハウジング（２）とは、それぞれ、第１，第２密封傾斜片を有し、このうちの１つが、密封側片（１４）であり、他の１つが、密封縁（２４）であり、電動機支持部材（１）が、少なくとも１つの第１螺合傾斜片（１６）を電動機支持部材（１）の外側部に有し、ハウジング（２）が、少なくとも１つの第２螺合傾斜片（２６）をハウジング（２）の内側部に有し、電動機支持部材（１）がハウジング（２）を螺合した位置では、密封側片（１４）は、密封縁（２４）に押し付けられるようになっていることを特徴とする装置。
【請求項２】
密封側片（１４）は、押し付けられて弾性変形が誘起されるようになっていることを特徴とする、請求項１記載の装置。
【請求項３】
第１密封傾斜片が、密封側片（１４）であり、第２密封傾斜片が、密封縁（２４）であることを特徴とする、請求項１または２記載の装置。
【請求項４】
密封側片（１４）、密封縁（２４）、または螺合傾斜片（１６）（２６）が、らせん状であることを特徴とする、請求項１〜３いずれかに記載の装置。
【請求項５】
電動機支持部材（１）およびハウジング（２）が、複数の螺合傾斜片（１６）（２６）を有することを特徴とする、請求項１〜４のいずれかに記載の装置。
【請求項６】
電動機支持部材（１）およびハウジング（２）の螺合傾斜片（１６）（２６）が、密封側片（１４）および密封縁（２４）の勾配よりも大きい勾配を有することを特徴とする、請求項１〜５のいずれかに記載の装置。
【請求項７】
電動機支持部材（１）またはハウジング（２）の螺合傾斜片が、相互に角度的に離隔され、かつ送気ユニットの軸線方向（Ｚ）へ相互にシフトされた複数の截片から形成されていることを特徴とする、請求項５または６に記載の装置。
【請求項８】
ハウジング（２）への電動機支持部材（１）の螺合に応じて、即ち、
第１段階において、電動機支持部材（１）の螺合傾斜片（１６）の外面（１６１）は、ハウジング（２）の少なくとも１つの螺合傾斜片（２６）の外面（２６１）と接触し、密封側片（１４）および密封縁（２４）は、離隔状態に保持され、
第２段階において、密封側片（１４）は、変形することなく密封縁（２４）上を摺動し、電動機支持部材（１）およびハウジング（２）の螺合傾斜片（１６）（２６）が接触することはなく、
第３段階において、電動機支持部材（１）およびハウジング（２）の螺合傾斜片（１６）（２６）の内面（１６２）（２６２）の間で接触が生じているときに、密封側片（１４）が、密封縁（２４）に対して弾性的に変形されるように、
螺合傾斜片が配置されていることを特徴とする、請求項５〜７のいずれかに記載の装置。
【請求項９】
電動機支持部材（１）の密封側片（１４）が、傾斜面（１００）によって結合された端末（１２ａ，１２ｂ）を有し、電動機支持部材（１）の螺合傾斜片（１６）が、傾斜面（１００）の両側に配置された２つの傾斜片半部（１６ａ）（１６ｂ）を有することを特徴とする請求項８記載の装置。
【請求項１０】
前記第１段階において、第１傾斜片半部（１６ｂ）の外面（１６１）は、ハウジング（２）の螺合傾斜面（２６）の外面（２６１）と接触し、他方、第２傾斜片半部（１６ａ）は、ハウジング（２）の螺合傾斜片（２６）と接触していないことを特徴とする、請求項９記載の装置。
【請求項１１】
前記第３段階において、第２傾斜片半部（１６ａ）の内面（１６２）は、ハウジング（２）の螺合傾斜片（２６）の内面（２６２）と接触し、他方、第１傾斜片半部（１６ｂ）は、ハウジングの螺合傾斜片（２６）と接触していないことを特徴とする、請求項９または１０に記載の装置。
【請求項１２】
ハウジング（２）に支持された密封縁（２４）が、ハウジングと一体のらせん状の軸線方向推移に対応するらせん状であることを特徴とする、請求項１〜１１のいずれかに記載の装置。
【請求項１３】
密封側片（１４）または密封縁（２４）に支持され、かつ関連させたパッキンを含むことを特徴とする、請求項１〜１２のいずれかに記載の装置。
【発明の詳細な説明】
【０００１】
【発明の属する技術分野】
本発明は、ハウジングに取付けた電動機支持部材を含む送風ユニットを有する暖房または空調装置に関する。
【０００２】
【従来の技術】
この種の装置は、例えば、本出願人が１９９５年１１月３０日に出願したフランス国特許公開第２７４１８４２号から公知である。
【０００３】
この出願の発明においては、電動機支持部材は、平坦な環状スカートと、ハウジングの環状壁に固定するためのバヨネットタイプの固定手段とを含んでいる。
【０００４】
このタイプの固定方式は、うず形室の断面積が角度に依存して、うず形室の入口から出口へ向かって増加する形式の送風機の場合に特に好適である。
【０００５】
しかし、軸線方向および半径方向の二重の推移を有するうず形室におけるこの解決法は、満足しうるものではないその理由は、平坦な環状密封範囲を採用した場合、電動機支持部材とハウジングと密封範囲におけるうず形室のすべての軸線方向推移を削除せざるを得ないからである。
【０００６】
【発明が解決しようとする課題】
本発明の基本的考え方は、らせん状範囲において電動機支持部材とハウジングとを結合することにある。
【０００７】
【課題を解決するための手段】
本発明は、ハウジングに取付けた電動機支持部材を含む送風ユニットを有する暖房または空調装置であって、電動機支持部材およびハウジングが、それぞれ、第１，第２密封傾斜面を有し、このうちの１つは、密封側片であり、他の１つは、密封縁であり、電動機支持部材およびハウジングが、それぞれ、ハウジング上に電動機支持部材を螺合した状態において、密封側片が密封縁に押付けられるよう、少なくとも１つの傾いた螺合傾斜面を有することを特徴とする装置に関する。
【０００８】
密封縁に対する密封側片の上記押付け操作は、密封側片の弾性変形を誘起するように実施すると有利である。この変形は、パッキンを挿入せずに満足できる密封状態を創成するのに十分なものとする。
【０００９】
電動機支持部材に支持された第１密封側片が密封側片であり、ハウジングに支持された第２密封側片が密封縁であれば有利である。
【００１０】
密封傾斜面または螺合傾斜面は、らせん状であるのがよい。
【００１１】
電動機支持部材およびハウジングが、複数の螺合傾斜面を有していれば有利である。
【００１２】
好ましい実施例においては、電動機支持部材およびハウジングは、密封側片の勾配よりも強い勾配を有し、これにより、漸次的なロックを実現できる。
【００１３】
電動機支持部材またはハウジングの螺合傾斜面は、相互に角度的に離隔され、かつ送風ユニットの軸線方向（Ｚ）へ相互にシフトされた複数の截片から形成するのが有利である。
【００１４】
本発明は、ハウジングへの電動機支持部材の螺合に応じて、即ち、
第１段階において、密封側片および密封縁が離隔状態に保持されるとともに、電動機支持部材の螺合傾斜面の裏面が、ハウジングの少なくとも１つの螺合傾斜面の表面と接触し、
第２段階において、密封側片が、電動機支持部材およびハウジングの螺合傾斜面が接触しないよう、変形することなく密封縁上を摺動し、
第３段階において、電動機支持部材およびハウジングの螺合傾斜面を接触させることによって、密封側片が、密封縁に対して弾性的に変形されるように、
螺合傾斜面が配置されていることを特徴とすることができる。
【００１５】
上記間隔（ｅ）は、例えば密封側片および密封縁が接触するまで、漸次的に減少している（第２段階の開始）。
【００１６】
電動機支持部材の密封縁は、周方向の傾斜面によって結合された端末を有する。従って、電動機支持部材の螺合傾斜面は、周方向の傾斜面の両側に配置された２つの傾斜面半部を有する。
【００１７】
上記第１段階において、第１傾斜面半部の表面は、ハウジングの螺合傾斜面の裏面と接触し、他方、第２傾斜面半部は、ハウジングの螺合傾斜面と接触しない。
【００１８】
上記第３段階において、第２傾斜面半部の裏面は、ハウジングの螺合傾斜面の表面と接触し、他方、第１傾斜面半部は、ハウジングの螺合傾斜面と接触しない。
【００１９】
密封縁において弾性変形された密封側片によって達成された密封状態は、場合によっては、補足してまたは代替として、第１密封側片または第２密封側片に支持し、例えば、上方からの注形によって、例えばエラストマータイプの材料から形成され、特に、関連づけたパッキンによって実現できる。
【００２０】
本発明は、特に、うず形室に少なくとも１つのらせん状軸線方向推移を有する送風機の場合に適用される。この場合、第２密封側片が、実質的に、うず形室と同一のらせん状推移を有していれば有利である。
【００２１】
【発明の実施の形態】
本発明の他の特徴および利点は、添付の図面を参照して行う実施例に関する以下の説明から、より良く理解されると思う。
【００２２】
図１ａ，図１ｂに示すように、電動機支持部材１は、プラスチック材料からなる注形部材として形成されている。支持部材１は、うず形室２５を形成する傾斜した底片１７および起立片１８からなる環状部によって囲まれた電動機枠１０を有する（図２ａ参照）。
【００２３】
らせん状縁部１２の外側に密封縁１４が設けられている。この密封片１４は、ハウジング２の密封縁２４と協働するスカート面１４１で支持することによって、弾性変形可能とするのが有利である（図２ａ参照）。
らせん状縁片１２の端末１２ａ，１２ｂ同士は、円周方向の傾斜面１００によって相互に連結されている。
【００２４】
側片１４の内側から垂下する垂下片１９の外側面には、らせん状螺合傾斜面１６が設けられている。
【００２５】
らせん状縁部１２には、取付けたユニットを適所にロックして保持するために、ハウジング２または複数の係止要素３２と協働する１つまたは複数のラチェット３１を設けてある（図３ａ〜図３ｃ参照）。
【００２６】
電動機支持部材１は、電動機１’（図２ａ）および送風タービン１１（図３ａ〜図３ｃ）を支持する。
【００２７】
ハウジング２（図２ａ，図３ａ〜図３ｃ）は、フランジ２７により連結されて、送風タービン１１を囲むうず形室２５を形成する上下のうず形室半部２１，２３を有する。これらうず形室半部２１，２３の断面積は、その出口に近づくにつれて、漸次、半径方向および軸線方向（Ｚ軸の方向）へらせん状に増大している。上側のうず形室半部２３の上面には、軸線方向にらせん状をなす縁片２２が形成されている。
【００２８】
ハウジング２に電動機支持部材１を固定できるよう、ハウジング２の、縁片２２の近傍の内方に、電動機支持部材１の上記螺合傾斜面１６に対応する螺合傾斜面２６を設けてある。
【００２９】
次に、組立操作について述べる。
【００３０】
まず、電動機支持部材１をハウジング２へ軸線方向に導入する（図３ａ）。
【００３１】
次いで、上記支持部材１を軸線方向（Ｚ方向）へ下降させて、ハウジング２内に位置決めする（図３ｂ）。この接近・案内位置において（第１段階）、図２ｂの左半部に示すように、らせん状の螺合傾斜面１６の支持面１６１は、同様の螺合傾斜面２６の支持面２６１と接触し、密封縁２４から離隔している側片１４を、距離（ｅ）（図２ｂの左半部参照）をあけて保持する。
【００３２】
支持部材１を回転させると、上記距離（ｅ）は、減少して消失する。従って、側片１４は、変形することなく密封縁２４に載り、密封縁２４および螺合傾斜面１６，２６は、もはや接触することはない。
【００３３】
側片１４は、密封された傾斜面上を摺動する（第２段階）。支持部材１の回転に続いて、第３段階が始まり、螺合傾斜面１６の支持下面１６１は、前記螺合傾斜面２６に続く支持上面２６２と接触する。
【００３４】
そのため、傾斜面１６，２６における順次に並ぶ載片は、らせん状に並んでいるが、相互に連続したはおらず、上記連続状態に対して、軸線方向（Ｚ軸方向）へ距離△Ｘだけシフトされている（図２ｂ参照）。
【００３５】
らせん状螺合傾斜面２６は、密封らせん状傾斜面１６よりも大きいピッチを有しており、らせん状螺合傾斜面１６，２６の支持面１６２，２６２の接触により、側片１４は、密封縁２４に漸次的に支持されている。従って、第３段階において、ラチエット３１と、係止要素３２が相互に係合するまで、側片１４は弾性的に変形する。この状態において、密封状態を伴うロックが達成される。
【００３６】
側片１４および密封縁２４との相対摺動角度ゾーンの範囲、および側片１４の圧縮角度ゾーンの範囲は、側片１４のピッチとらせん状螺合傾斜面１６，２６のピッチとの間の相対的偏差、らせん状螺合傾斜面２６の順次に生じる機能的遊び、およびらせん状螺合傾斜面１６の厚さに依存する。
【００３７】
例えば、相対摺動ゾーンＡは、約２５°の範囲であるのがよく、係止ゾーンＢは、約１０°の範囲にあるのがよい。
【００３８】
従って、本発明にもとづき、電動機支持部材１における可撓性側片１４の変形に、よってらせん状ゾーンの密封を達成できる。らせん状螺合傾斜面の規則性にもとづき、電動機の位置において、大きい角度範囲にわたって、上記機能を保証できる。
【００３９】
らせん状傾斜面は、密封縁とらせん状螺合傾斜面との間のピッチ差にもとづき、組立中に、密封の達成のために側片の圧縮が行われる角度ストロークを制限することができる。
【００４０】
もちろん、らせん状螺合傾斜面とは異なる形状を選択できる。例えば、螺合傾斜面２６は、すべての所望の形状のうち、経路に沿う案内を保証する任意の形状とすることができ、螺合傾斜面１６は、選択されたすべての任意の形状に従い得るよう、小さな寸法とすることができる。
【００４１】
周方向傾斜面１００によって結合されたらせん状縁部１２の端末１２ａ，１２ｂの近傍に位置する螺合傾斜面１６ａ，１６ｂが、それぞれ、他の傾斜面の機能の一部を果たす２つの傾斜面半部を構成すれば有利である。
【００４２】
第１段階において、電動機支持部材１の螺合傾斜面１６ｂの支持下面１６１は、ハウジング２の螺合傾斜面２６の支持上面２６１と接触し、他方、電動機支持部材１の螺合傾斜面１６ａは、ハウジングの螺合傾斜面と接触しない。
【００４３】
第３段階において、電動機支持部材１の螺合傾斜面１６ａの支持上１６２は、ハウジング２の螺合傾斜面２６のしじ下面２６２と接触し、他方、電動機支持部材１の螺合傾斜面１６ｂは、ハウジング２の螺合傾斜面と接触しない。
【図面の簡単な説明】
【図１】ａは、本発明の好ましい実施例の電動機支持部材の斜視図である。
ｂは、本発明の好ましい実施例の電動機支持部材の正面図である。
【図２】ａは、図１ａ，図１ｂの電動機支持部材を、螺合によって送風機のハウジングに取付けた状態を示す部分断面図である。
ｂは、図１ａ，１ｂの電動機支持部材を、螺合によって送風機のハウジングに取付けた状態を示す展開図である。
【図３】ａは、送風機のハウジングが、半径方向偏位および軸線方向偏位を有するうず形室を有する場合の組立工程を示す図である。
ｂは、送風機のハウジングが、半径方向偏位および軸線方向偏位を有するうず形室を有する場合の組立工程を示す図である。
ｃは、送風機のハウジングが、半径方向偏位および軸線方向偏位を有するうず形室を有する場合の組立工程を示す図である。
【符号の説明】
１      電動機支持部材
２      ハウジング
１０    電動機枠
１１    送風タービン
１２    らせん状縁部
１２ａ、１２ｂ  端末
１４    密封側片
１６    螺合傾斜面
１７    底片
１８    起立片
１９    垂下片
２１、２３    うず形室半部
２２    縁片
２４    密封縁
２５    うず形室
２６    螺合傾斜面
２７    フランジ
３１    ラチエット
３２    係止要素
１００  周方向傾斜面
１６１  裏面
１６２  表面
２６１  表面
２６２  裏面
【図１】
0004790114.tif 000002
【図２】
0004790114.tif 000003
【図３】
0004790114.tif 000004